(57)【特許請求の範囲】
【請求項１】
地下の深い地下室と地上とを連絡する避難用竪穴と地下室との中間部位に附室を設け、この附室と地上とを連通する排煙ダクトを設けること、
前記避難用竪穴の下部と附室との連通部位には、可及的に低い位置に附室と連通させるガラリを設けること、
を特徴とする、深い地下室の避難用竪穴の防排煙方法。
【請求項２】
附室と地上とを連通する排煙ダクトの下端は、地下室の天井よりも少し高く形成した附室の天井に開口させること、
前記排煙ダクトの口径は、火災により発生する煙を自然力によって効果的に排煙できる大きさとすること、
を特徴とする、請求項１に記載した、深い地下室の避難用竪穴の防排煙方法。
【請求項３】
地下の深い地下室が複数階で構成されている場合には、各階に附室を設け、各附室と排煙ダクトとは切り換えダンパーにより接続することを特徴とする、請求項１又は２に記載した、深い地下室の避難用竪穴の防排煙方法。
【発明の詳細な説明】
【０００１】
【発明が属する技術分野】
この発明は、例えば地下２０ｍ以深の如く深い（所謂大深度地下を含む。）地下室に火災が発生した場合に、地下室に居る人々が避難用竪穴（避難階段、エレベータホール等の垂直移動施設の穴。以下、これらを総称して避難用竪穴と言う。）を利用して安全に地上まで避難出来るようにする技術の分野に属し、特に避難用竪穴に煙が侵入しないように防ぐ、避難用竪穴の防排煙方法に関する。
【０００２】
【従来の技術】
従来、地下の深い地下室に火災が発生した場合に、地下室に居る人々が避難用竪穴などを利用して安全に地上まで避難出来るようにする技術は、種々研究されている。
（１）例えば特開平４−１０８４６１号公報には、地下室と地上を連絡する空気（新鮮外気）流入用兼脱出ピットと、流入空気の排出路を兼ねる避難用ピットを併設し、火災時には空気流入用兼脱出ピットに送風機による強制通風を行い、地下階の人々は、先ず避難用ピットを飛び下りる。その際に上向きに流れる排気流により落下の加速度を減殺する。そして、飛び下りて緩衝ネットへ着底した人々は、次に横送りコンベア等によって空気流入用兼脱出ピットへと向かい、空気流入用兼脱出ピットを登って地上へ避難する構成の避難設備が開示されている。
（２）また、特開平４−１０８４６１号公報には、地下街等の地下通路に対し、これと直交する小通路を設け、該小通路の一方に給気ダクト及び給気口を設け、他方には煙を吸収する排煙口と排煙ファン及び排煙ダクトを設け、給気口から排煙口に向かって流れる層状の気流によって地下通路の煙を吸収、排煙する排煙方法及び排煙装置が開示されている。
【０００３】
【本発明が解決しようとする課題】
上記（１）、（２）の従来技術に共通する問題点は、防排煙の動力源に送風機、排煙ファンといった電気動力を利用していることである。火災発生と同時に、又は火災の規模、延焼が拡大して電源が遮断されると、全く役に立たない避難、排煙設備となって人々の安全な避難に寄与しない。
【０００４】
仮に、電源が遮断されることなく健全に機能しても、（１）のように避難用ピットを飛び下りる方式は、例え緩衝用の着底ネットを張っていても、火災に慌てた人々が何の規制もなく我先に飛び下りると、次々と落下する人の下敷きになって負傷したり圧死する危険が大きい。また、横移動のベルトコンベアに乗るとしても、距離の離れた空気流入兼脱出ピットまで移動する構成では、やはり火災によって心理的に冷静さを欠いた人々が我先に行動して混乱を来す心配がある。
【０００５】
また、（２）のように、給気口から排煙口に向かって流れる層状の気流によって地下通路の煙を吸収、排煙する排煙方法も、一見合理的であるが、避難する人々が横切るとか、その他の原因で層流に乱れが生じると、却って地下通路の方への隘流を生じて通路内の煙を乱し、地下通路を避難する人々を煙に巻き込む心配がある。
【０００６】
従って、本発明の目的は、第１に、動力源を一切使用せず、自然力によって成立する防排煙方法を提供することである。
本発明の次の目的は、火災が発生した地下室から人々が避難するために用意された避難用竪穴を集中的に防排煙するのみならず、新鮮外気の流入路として、避難する人々の安全性を確保する防排煙方法を提供することである。
【０００７】
本発明の更なる目的は、構成が簡単で、既往の技術を用いて簡単に容易に実施でき、防排煙と安全性の効果が大きい避難用竪穴の防排煙方法を提供することである。
【０００８】
【課題を解決するための手段】
上記の課題を解決するための手段として、請求項１記載の発明に係る深い地下室の避難用竪穴の防排煙方法は、
地下の深い地下室と地上とを連絡する避難用竪穴と地下室との中間部位に附室を設け、この附室と地上とを連通する排煙ダクトを設けること、
前記避難用竪穴の下部と附室との連通部位には、可及的に低い位置に附室と連通させるガラリを設けること、
を特徴とする。
【０００９】
請求項２記載の発明は、請求項１に記載した、深い地下室の避難用竪穴の防排煙方法において、附室と地上とを連通する排煙ダクトの下端は、地下室の天井よりも少し高く形成した附室の天井に開口させること、
前記排煙ダクトの口径は、火災により発生する煙を自然力によって効果的に排煙できる大きさとすることを特徴とする。
【００１０】
請求項３記載の発明は、請求項１又は２に記載した、深い地下室の避難用竪穴の防排煙方法において、地下の深い地下室が複数階で構成されている場合には、各階に附室を設け、各附室と排煙ダクトとは切り換えダンパーにより接続することを特徴とする。
【００１１】
【発明の実施形態】
請求項１、２記載の発明に係る深い地下室の避難用竪穴の防排煙方法は、図１に実施形態を概念的に示したように、地下の深い地下室１と地上１０とを連絡する垂直な避難用竪穴２と地下室１との間の部分（中間部位）に附室４を設け、この附室４と地上１０とを連通する排煙ダクト３を設ける。そして、前記避難用竪穴２の下部であって附室４と連通する部位には、その可及的に低い位置に附室４と連通させるガラリ５を設ける（請求項１記載の発明）。前記のガラリ５を可及的に低い位置に設ける理由は、図１に示したように地下室１に発生した火災の煙６が、その温度が高いが故に地下室１の天井近辺に集中的に充満する現象に鑑みて、少なくともそうした煙６の一部でも侵入する心配の無い程度に低く、また、避難用竪穴２から吸入しガラリ５から吐出される新鮮外気の流入によって煙６の充満状態に乱れを生じさせないためである。避難用竪穴２の上端部にも新鮮外気取入れ用のガラリを設けている。
【００１２】
附室４の天井４ａは、地下室１の天井１ａよりも少し高くして煙６が流入しやすく形成する。好ましくは図示例のように中央部が高い錐形の天井４ａを形成し、或いは片傾斜の天井を形成する。該天井４ａの最も高い位置に、排煙ダクト３の下端を開口させる。排煙ダクト３の口径は、火災により発生する煙を効果的に排煙できる大きさとする（請求項２記載の発明）。
【００１３】
従って、地下室１で発生した火災の煙６は、自然に天井が高い附室４の天井部分に集中して充満し、そこに開口する排煙ダクト３を通じてどんどんと効率よく地上１０へ排出される。特に煙６は温度が高いが故に上昇気流を生じ易く、その上、地下室１と地上とを連通する長い排煙ダクト３の所謂煙突効果により、煙６の排出能力は大きく、大量の煙６が自然力のみによって効果的に排出される。
【００１４】
その結果、負圧化することになる地下室１、とりわけ附室４に直近の避難用竪穴２には前記の負圧効果で外気の吸引効果が発生する。かくして避難用竪穴２から新鮮な外気を吸入しつつ、排煙ダクト３による煙６の排出作用が益々円滑に機能して、地下室１の煙６はどんどん少なくなる。その一方で、避難用竪穴２を利用して避難する人々には、常に新鮮外気が当たって所謂煙に巻かれる懸念は一切ない。勿論、火災の発生と同時に電源が遮断されるようなことがあっても、それとは無関係に避難用竪穴２の防排煙効果は確実に奏される。地下室１内に居た人々は、図示を省略した避難用竪穴２の下部の十分低い位置に用意された出入口から避難用竪穴２へ出て地上１０に向かって避難する。
【００１５】
次に、図２に示した実施例は、地下の深い地下室が複数階１Ａ、１Ｂ、１Ｃで構成されている場合（請求項２記載の発明）の実施形態を概念的に示している。
本実施例の場合にも、地下の深い地下室１Ａ、１Ｂ、１Ｃと地上１０とを連絡する避難用竪穴２と地下室との中間部位に附室４を設け、この附室４と地上とを連通する排煙ダクト３を設ける。また、前記避難用竪穴２の下部と各附室４との連通部分の可及的に低い位置に附室４と連通させるガラリ５を設けることは、上記図１の実施例と変わらない。前記排煙ダクト３の口径を、地下室１Ａ、１Ｂ、１Ｃの火災により発生する煙を効果的に排煙できる大きさとすることも勿論である。
【００１６】
本実施例の特徴は、地下室が複数階１Ａ、１Ｂ、１Ｃで構成されている場合に、最下階の附室４の天井には直接排煙ダクト３の下端が開閉ダンパー８を介して開口される。それよりも上階の附室４と排煙ダクト３とは、個別の切り換えダンパー７により開閉可能に接続する。本実施例の場合にも、附室４の天井は、該当する地下室の天井よりも少し高く形成し、附室の天井に煙が集中的に充満する構成とするのが好ましい。
【００１７】
本実施例の場合には、複数階の地下室１Ａ、１Ｂ、１Ｃのうち火災が発生した階のダンパー７又は８のみを開いて防排煙の作用を奏させる。
【００１８】
【本発明が奏する効果】
本発明に係る深い地下室の避難用竪穴の防排煙方法は、動力源を一切使用せず、自然力によって防排煙の作用効果を確実に奏するから、緊急避難手段としての利用価値と実効性が極めて大きい。
また、火災が発生した地下室から人々が避難する避難用竪穴を対象として防排煙するのみならず、避難用竪穴は新鮮外気の流入路として、地上へ避難する人々の安全性を確保する効果も奏する。
【００１９】
本発明の防排煙方法は、構成が簡単で、既往の技術を用いて簡単に容易に実施できる。
【図面の簡単な説明】
【図１】本発明に係る深い地下室の避難用竪穴の防排煙方法の実施形態を概念的に示した断面図である。
【図２】本発明の異なる実施形態を概念的に示した断面図である。
【符号の説明】
１        地下室
２        避難用竪穴
１０      地上
３        排煙ダクト
４        附室
５        ガラリ
６        煙
７        切り換えダンパー
８        切り換えダンパー
【図１】
0003803815.tif 000002
【図２】
0003803815.tif 000003